(57)【要約】【課題】  データを指定した純色で印刷できるようにする。【解決手段】  描画部９は、設定値保持部８に保持された設定値に基づいて、アプリケーションプログラム部３から受信したデータのすべての色について複数種類の色グループに分類し、その分類された各色グループ毎にそれぞれ設定された純色に変更し、その変更したデータをポート制御部５を介してプリンタ２へ送信して印刷させる。また、データの色の変更については、データの種類がイメージデータの場合はそのイメージデータに対して設定された出力色に変更したり、ベクターデータの場合は文字，線，塗り潰しの属性毎に設定された出力色に変更したりする。【選択図】        図１
2010205016.tif 000002
【特許請求の範囲】
【請求項１】
入力されるデータのすべての色について複数種類の色グループに分類し、該分類された各色グループ毎にそれぞれ純色の出力色を設定する手段と、
入力されたデータの各色についてそれぞれ前記分類された色グループに設定された出力色に変更する手段と、該手段によって出力色が変更されたデータを印刷させる手段とを備えたことを特徴とする情報処理装置。
【請求項２】
前記複数種類の色グループへの分類の対象外とする色を指定する手段と、該手段によって指定された色に対して出力色を設定する手段と、前記入力されたデータの内、前記色グループへの分類の対象外と指定された色については前記対象外と指定された色に対して設定された出力色に変更する手段を設けたことを特徴とする請求項１記載の情報処理装置。
【請求項３】
前記入力されたデータがイメージデータの場合とベクターデータの場合について、それぞれ前記出力色の設定による変更を有効にするか否かを指定する手段を設けたことを特徴とする請求項１又は２記載の情報処理装置。
【請求項４】
前記入力されたデータがベクターデータの場合について、そのベクターデータ中の文字，線，塗り潰しを含む属性毎に前記出力色の設定による変更を有効にするか否かを指定する手段を設けたことを特徴とする請求項３記載の情報処理装置。
【請求項５】
前記入力されたデータがイメージデータの場合について、そのイメージデータの階調表現は有効にしたまま純色の出力色を設定する手段と、前記入力されたデータに対して階調表現は有効にしたまま前記設定された純色の出力色に変更する手段とを設けたことを特徴とする請求項１乃至４のいずれか一項に記載の情報処理装置。
【請求項６】
コンピュータに、入力されるデータのすべての色について複数種類の色グループに分類し、該分類された各色グループ毎にそれぞれ純色の出力色を設定する手順と、入力されたデータの各色についてそれぞれ前記分類された色グループに設定された出力色に変更する手順と、該手順によって出力色が変更されたデータを印刷させる手順とを実行させるためのプログラム。
【請求項７】
前記複数種類の色グループへの分類の対象外とする色を指定する手順と、該手順によって指定された色に対して出力色を設定する手順と、前記入力されたデータの内、前記色グループへの分類の対象外と指定された色については前記対象外と指定された色に対して設定された出力色に変更する手順とを含む請求項６記載のプログラム。
【請求項８】
前記入力されたデータがイメージデータの場合とベクターデータの場合について、それぞれ前記出力色の設定による変更を有効にするか否かを指定する手順を含む請求項６又は７記載のプログラム。
【請求項９】
前記入力されたデータがベクターデータの場合について、そのベクターデータ中の文字，線，塗り潰しを含む属性毎に前記出力色の設定による変更を有効にするか否かを指定する手順を含む請求項８記載のプログラム。
【請求項１０】
前記入力されたデータがイメージデータの場合について、そのイメージデータの階調表現は有効にしたまま純色の出力色を設定する手順と、前記入力されたデータに対して階調表現は有効にしたまま前記設定された純色の出力色に変更する手順とを含む請求項６乃至９のいずれか一項に記載のプログラム。
【発明の詳細な説明】
【技術分野】
【０００１】
この発明は、コンピュータを含む情報処理装置とプログラムに関する。
【背景技術】
【０００２】
パーソナルコンピュータなどの情報処理装置のデータをプリンタなどの印刷装置によって印刷する場合、情報処理装置の画面上ではＲＧＢ色で表示されるのに対して、印刷装置で印刷するにはＣＭＹＫトナーなどが使用されることから、画面上での色と印刷物での色とが若干異なってしまうことがある。
そこで、ＲＧＢ色をＣＭＹＫ色に変換する処理や、ＲＧＢ空間での色味をＣＭＹＫ色で忠実に色表現するための色変換処理を用いて画面上での色と印刷物での色とを合わせるようにする技術が提供されている。
【０００３】
また、最近では、使用トナー量の削減と、印刷装置の保守コスト削減の目的から、ＣＭＹＫ色のそれぞれのトナーインクについて使用と不使用を設定し、ＲＧＢ色からＣＭＹＫ色に展開されたデータを上記使用と設定されたトナーインクで印刷するＣＭＹＫ分版処理や、ユーザが設定した２色のトナーインクで印刷させるべく、印刷対象のデータを自動的に色変換する２色プリント処理の技術も知られている。
しかし、上述の技術では、目的に合わせて色味を選択することは可能であるが、データに応じて自由に使用するトナーインクの色を指定することができない細い線、薄い色で作成された原稿は、かすれてしまうという問題があった。
従来、印刷するデータについて、各色毎に濃度や線幅を変更する情報処理装置（例えば、特許文献１参照）があった。
【発明の概要】
【発明が解決しようとする課題】
【０００４】
しかしながら、上述した従来の技術では、ユーザが指定する色味で印刷する際に濃度や線幅を変更するので、ユーザが指定した色味と変わってしまったり元のデータの内容（線幅）が変わってしまったりするという問題があった。
この発明は上記の点に鑑みてなされたものであり、データを指定した純色で印刷できるようにすることを目的とする。
【課題を解決するための手段】
【０００５】
この発明は上記の目的を達成するため、入力されるデータのすべての色について複数種類の色グループに分類し、その分類された各色グループ毎にそれぞれ純色の出力色を設定する手段と、入力されたデータの各色についてそれぞれ上記分類された色グループに設定された出力色に変更する手段と、その手段によって出力色が変更されたデータを印刷させる手段を備えた情報処理装置を提供する。
また、上記複数種類の色グループへの分類の対象外とする色を指定する手段と、その手段によって指定された色に対して出力色を設定する手段と、上記入力されたデータの内、上記色グループへの分類の対象外と指定された色については上記対象外と指定された色に対して設定された出力色に変更する手段を設けるとよい。
【０００６】
さらに、上記入力されたデータがイメージデータの場合とベクターデータの場合について、それぞれ上記出力色の設定による変更を有効にするか否かを指定する手段を設けるとよい。
また、上記入力されたデータがベクターデータの場合について、そのベクターデータ中の文字，線，塗り潰しを含む属性毎に上記出力色の設定による変更を有効にするか否かを指定する手段を設けるとよい。
さらに、上記入力されたデータがイメージデータの場合について、そのイメージデータの階調表現は有効にしたまま純色の出力色を設定する手段と、上記入力されたデータに対して階調表現は有効にしたまま上記設定された純色の出力色に変更する手段を設けるとよい。
さらにまた、上述のような情報処理装置の各手段を実現するための手順を実行させるためのプログラムも提供する。
【発明の効果】
【０００７】
この発明による情報処理装置は、データを指定した純色で印刷することができる。
また、この発明によるプログラムは、コンピュータに、データを指定した純色で印刷できるようにするための機能を実現させることができる。
【図面の簡単な説明】
【０００８】
【図１】この発明の実施例である情報処理装置とプリンタを示すブロック図である。
【図２】プリンタドライバＧＵＩの設定項目の説明図である。
【図３】図１に示すプリンタドライバ部の処理を示すフローチャート図である。
【図４】図１に示すプリンタドライバ部の他の処理を示すフローチャート図である。
【図５】図４の続きの処理を示すフローチャート図である。
【発明を実施するための形態】
【０００９】
以下、この発明を実施するための形態を図面に基づいて具体的に説明する。
〔実施例〕
図１は、この発明の実施例である情報処理装置とプリンタを示すブロック図である。
この情報処理装置１は、図示を省略したＣＰＵ，ＲＯＭ及びＲＡＭからなるマイクロコンピュータを有し、そのＣＰＵがＲＡＭを作業領域としてＲＯＭに記憶されたプログラムを実行することによって実現されるオペレーティングシステム（ＯＳ）部が、アプリケーションプログラム部３にインストールされた文書作成，表計算，図作成を含む各種のアプリケーションプログラムを実行して文書，表，図を含む各種のデータを作成する。
また、プリンタ２のプリンタドライバプログラムもインストールされており、ＯＳがプリンタドライバプログラムを実行することによって実現されるプリンタドライバ部４により、ポート制御部５に接続されたプリンタ２に対して上記作成されたデータを印刷する。
【００１０】
まず、プリンタドライバ部４の設定値保持部８には、アプリケーションプログラムで作成されるデータについて、情報処理装置の表示部の画面上で表現される「画面色」を、例えば、Ｒ（赤）、Ｇ（緑）、Ｂ（青）による８ビット（ｂｉｔ）で表現される１６７７７２１６色のデータである場合、その１６７７７２１６色を８種類の色グループに分類するための色分類テーブルを記憶している。
上記色分類テーブルは、例えば、Ｒ（赤）、Ｇ（緑）、Ｂ（青）による８ビットで表現される１６７７７２１６色の各色を、Ｒ（赤）近似色グループＩ（１）、Ｇ（緑）近似色グループＩ（２）、Ｂ（青）近似色グループＩ（３）、Ｃ（シアン）近似色グループＩ（４）、Ｍ（マゼンタ）近似色グループＩ（５）、Ｙ（イエロー）近似色グループＩ（６）、Ｋ（黒）近似色グループＩ（７）、Ｗ（白）近似色グループＩ（８）の８グループに分類したテーブルデータを記憶している。
このテーブルデータにより、１６７７７２１６色の各色は、Ｒ，Ｇ，Ｂ，Ｃ，Ｍ，Ｙ，Ｋ，Ｗの８色の中で一番近い色のグループに分類されるように分類したものである。
【００１１】
また、グラフィカルユーザインタフェイス（ＧＵＩ）制御部６の制御により、情報処理装置１の表示部の画面上にプリンタドライバＧＵＩの設定画面を表示し、その設定画面において情報処理装置１の入力部から入力されたプリンタドライバＧＵＩの設定値を設定値保持部８に記憶して保持している。
【００１２】
プリンタドライバ部４の情報授受部７は、アプリケーションプログラム部３のアプリケーションプログラムやＯＳ部から印刷指示と共に印刷対象のデータを受信すると、設定値保持部８からアプリケーションプログラムの設定値とＧＵＩ制御部６から記憶されたプリンタドライバＧＵＩの設定値（色分類テーブルを含む）を読み出し、それらの設定値と共に、アプリケーションプログラムからの印刷対象のデータを描画部９へ送信する。
描画部９は、印刷対象のデータを、上記各設定値の内容を反映させて色処理と共にプリンタ２の言語データに変換し、ポート制御部５を介してプリンタ２に印刷データとして送信する。プリンタ２では、Ｃ（シアン），Ｍ（マゼンタ），Ｙ（イエロー），Ｋ（黒）の各トナーインクによる「出力色」によって上記受信した印刷データを用紙にカラー印刷する。
【００１３】
図２は、プリンタドライバＧＵＩの設定項目の説明図である。
設定項目１０は、以下に説明する設定項目１１〜１５の設定値に基づいた色処理を実施するか否かを選択する項目である。この設定項目１０に、プリンタ２によって印刷されたデータの色である「出力色の設定を実施する」と設定されれば、描画部９において印刷対象のデータに色処理を実施する。
なお、同図では、設定値として「出力色の設定を実施する」を示したが、その名称は他のものでも良く、例えば、「フルカラー・白黒」などのようにカラーモードを設定するような項目で、「８色カラー印刷」または「純色カラー印刷」という意味のモードを設け、そのモードを選択して設定するようにしても良い。
【００１４】
設定項目１１は、Ｒ近似色グループＩ（１）、Ｇ近似色グループＩ（２）、Ｂ近似色グループＩ（３）、Ｃ近似色グループＩ（４）、Ｍ近似色グループＩ（５）、Ｙ近似色グループＩ（６）、Ｋ近似色グループＩ（７）、Ｗ近似色グループＩ（８）に対して、それぞれ出力色Ｓ（１）〜Ｓ（８）を個別に設定する項目である。
出力色Ｓ（１）〜Ｓ（８）は、Ｒ（（Ｒ，Ｇ，Ｂ）＝（２５５，０，０））、Ｇ（（Ｒ，Ｇ，Ｂ）＝（０，２５５，０））、Ｂ（（Ｒ，Ｇ，Ｂ）＝（０，０，２５５））、Ｃ（（Ｒ，Ｇ，Ｂ）＝（０，２５５，２５５））、Ｍ（（Ｒ，Ｇ，Ｂ）＝（２５５，０，２５５））、Ｙ（（Ｒ，Ｇ，Ｂ）＝（２５５，２５５，０））、Ｋ（（Ｒ，Ｇ，Ｂ）＝（０，０，０））、Ｗ（（Ｒ，Ｇ，Ｂ）＝（２５５，２５５，２５５））の８色とする。この８色をそれぞれ「純色」と呼ぶ。すなわち、純色とは、Ｒ，Ｇ，Ｂ，Ｃ，Ｍ，Ｙ，Ｋ，Ｗの各単色をいう。
【００１５】
各色近似グループは、Ｒ，Ｇ，Ｂ，Ｃ，Ｍ，Ｙ，Ｋ，Ｗの８色を基準に分類されているので、プリンタドライバ部４の初期値としては、それぞれの分類分けの元となる色を設定する。
すなわち、Ｒ近似色グループＩ（１）の出力色Ｓ（１）の初期値をＲ（赤）に、Ｇ近似色グループＩ（２）の出力色Ｓ（２）の初期値をＧ（緑）に、Ｂ近似色グループＩ（３）の出力色Ｓ（３）の初期値をＢ（青）に、Ｃ近似色グループＩ（４）の出力色Ｓ（４）の初期値をＣ（シアン）に、Ｍ近似色グループＩ（５）の出力色Ｓ（５）の初期値をＭ（マゼンタ）に、Ｙ近似色グループＩ（６）の出力色Ｓ（６）の初期値をＹ（イエロー）に、Ｋ近似色グループＩ（７）の出力色Ｓ（７）の初期値をＫ（黒）に、Ｗ近似色グループＩ（８）の出力色Ｓ（８）の初期値をＷ（白）に、それぞれ設定する。
【００１６】
ただし、上記出力色の設定は可変であり、Ｒ，Ｇ，Ｂ，Ｃ，Ｍ，Ｙ，Ｋ，Ｗの８色の純色のどれにでも設定変更可能である。
例えば、Ｍ近似色グループＩ（５）のみ出力色Ｓ（５）をＭに設定し、他のグループの出力色をすべてＫに設定すれば、ＭとＫの２色印刷が可能となる。
設定項目１２は、上記設定項目１１で設定した内容の例外規定の設定をする項目であり、例外となる画面色Ｔ（ｘ）に対する出力色Ｕ（ｘ）を設定する。ｘは変数であり、１〜Ｘ迄の正の整数である。Ｘは正の整数の最大値。
上記の通り、画面色のすべての色を８グループに分類分けするが、その分類分けの例外となる画面色も設定できるようにしており、その設定は（Ｒ，Ｇ，Ｂ）の数値により設定する。また、この例外となる画面色は複数色設定可能であり、例外となる色がなければ設定不要である。さらに、例外となる色がＸ色ある場合、プリンタドライバ部４内に内部的に、それぞれＴ（１）、・・・Ｔ（ｘ）、・・・、Ｔ（Ｘ）と付番して記憶する。
【００１７】
また、設定できる出力色Ｕ（Ｘ）は、上述と同様にＲ，Ｇ，Ｂ，Ｃ，Ｍ，Ｙ，Ｋ，Ｗの８色の純色とする。
例えば、描画部９は色処理において、設定項目１０のＫ近似色グループの出力色Ｉ（７）がＫに設定されていても、設定項目１２と１３で、例外となる画面色Ｔ（１）としてＫ＝（Ｒ，Ｇ，Ｂ）＝（０，０，１０）と、それに対する出力色Ｕ（１）がＲと設定されていれば、印刷対象のデータのＫの部分をＲで印刷する印刷データに変換する。
設定項目１４は、イメージデータの出力色の設定をする項目である。
描画部９では、データの属性（イメージデータ、ベクターデータ）を判別できるため、印刷対象のデータがイメージデータの場合、色処理で、設定項目１４に設定された純色に変換する。このイメージデータの出力色として設定できる色は、上述と同様にＲ，Ｇ，Ｂ，Ｃ，Ｍ，Ｙ，Ｋ，Ｗの８色の純色とする。
【００１８】
また、この設定項目１４には、画面通りの色の印刷結果にするモードとして「出力色変更せず」の選択項目も設けており、「出力色変更せず」が選択されていれば、描画部９は、印刷対象のイメージデータに対しては色処理を実施せずに出力する。
設定項目１５は、出力色を設定するベクターデータを設定する項目である。
描画部９では、データの属性（ベクターデータのうち、文字ｏｒ線ｏｒ塗り潰し）を判別できるため、出力色を設定する属性を文字、線、塗り潰しのうちのいずれか１つにするか、複数にするかなどを選択させ、属性毎に出力色を設定するか否かを設定できるようにしている。
このようにして、プリンタドライバ部４のＧＵＩ制御部６は、ユーザによる設定作業時、情報処理装置１の表示部の画面上に、図２に示す各設定項目を含むプリンタドライバＧＵＩの設定画面を表示し、ユーザによって情報処理装置１の入力部から入力された設定値を設定値保持部８に記憶して保持する。
【００１９】
次に、プリンタドライバ部４の処理について説明する。
図３は、図１に示すプリンタドライバ部４の処理を示すフローチャート図である。
アプリケーションプログラムの実行中にプリンタドライバＧＵＩによって、上述した設定項目の設定が行われると、その設定値が設定値保持部８に送られて保持され、その状態で印刷指示がされ、プリンタドライバ部４の情報授受部７がその印刷指示と共に、印刷対象のデータＢ（１）〜Ｂ（ｎ）〜Ｂ（Ｎ）（ｎは１〜Ｎ迄の正の整数であり、Ｎは図３に示す処理を施す印刷対象のデータ数を示す）を受信すると、設定値保持部８から設定項目の設定値を読み出し、印刷対象のデータＢ（１）〜Ｂ（Ｎ）と共に設定値を描画部９へ送信する。
描画部９は、情報授受部７から印刷対象のデータＢ（１）〜Ｂ（Ｎ）（Ｎは正の整数）と設定値を受信すると、ステップ（図中「Ｓ」で示す）１で、設定項目に「出力色の設定を実施する」が設定されているか否かを判断する。
【００２０】
「出力色の設定を実施する」が設定されていないと判断すると、ステップ１６へ進んで、データＢ（１）〜Ｂ（Ｎ）の色情報を変更せずにポート制御部を介してプリンタへ送信して印刷させ、この処理を終了する。
一方、ステップ１で、「出力色の設定を実施する」が設定されていると判断すると、ステップ２〜１５の処理により、データＢ（１）からＢ（Ｎ）について順に色処理の必要なものは色処理をし、不必要なものは上述と同様に色情報を変更せずにプリンタへ送信して印刷させ、ステップ６へ進む。
【００２１】
まず、データＢ（ｎ）が例外となる画面色Ｔ（ｘ）として設定されているか否かを調べるために、ステップ２でｎ＝１に初期設定し、ステップ３でｘ＝１に初期設定し、ステップ４，７，８の処理で、データＢ（ｎ）の画面色に対して、例外となる画面色Ｔ（１）〜Ｔ（Ｘ）が設定されているか否かを順次判断し、設定されていないと判断された場合は、次のデータについて上述の判断をし、設定されていると判断したデータＢ（ｎ）について、ステップ５へ進んでデータＢ（ｎ）の色情報を出力色Ｕ（ｘ）に変更してプリンタへ送信する。
また、ステップ７の判断で、ｘ≧Ｘの場合、すなわち、データＢ（ｎ）について、例外となる画面色Ｔ（１）〜Ｔ（Ｘ）のいずれの設定もされていないと判断したら、ステップ１０〜１５の処理を実施する。
【００２２】
ステップ１０では、データＢ（ｎ）の画面色が所属する色グループＩ（ｉ）を調べるためにｉ＝１に初期設定し、ステップ１１，１３，１４で、データＢ（ｎ）の画面色は色グループＩ（ｉ）に属するか否かを順次判断し、データＢ（ｎ）の画面色について、色グループＩ（１）〜Ｉ（８）のいずれかに属すると判断したら、ステップ１２へ進んで、データＢ（ｎ）の色情報を、そのデータＢ（ｎ）が所属する色グループＩ（ｉ）に対して設定された出力色Ｓ（ｉ）に変更し、プリンタへ送信して印刷させ、ステップ６へ進む。
また、ステップ１１，１３，１４で、データＢ（ｎ）の画面色がどの色グループＩ（ｉ）にも所属しないと判断したら、ステップ１５へ進んで、データＢ（ｎ）の色情報を変更せずにポート制御部を介してプリンタへ送信して印刷させ、ステップ６へ進む。
【００２３】
なお、本来すべての色がいずれかの色グループに分類されるので、ステップ１５の処理に入ることはないはずであるが、ある種のエラー処理として設けている。
そして、ステップ６，９の処理により、上述の処理をデータＢ（１）〜Ｂ（Ｎ）まで順次実施し、全てのデータＢ（１）〜Ｂ（Ｎ）について上述の処理を実施したら、この処理を終了する。
【００２４】
次に、プリンタドライバ部４の他の処理について説明する。
この処理では、上述の処理に加えて、アプリケーションプログラムから受信した印刷対象のデータＢ（ｎ）について、イメージデータとベクターデータの何れであるか判断し、イメージデータについては、出力色の設定がされていれば、その出力色に変更する。また、ベクターデータについては、文字，線，塗り潰しの属性毎の設定内容に応じた色処理を行う。
【００２５】
図４及び図５は、図１に示すプリンタドライバ部４の他の処理を示すフローチャート図である。図中の丸付き記号Ａ〜Ｅは、それぞれ図４と図５との間で処理の進む先を示す記号である。
図４のステップ２１，２２の処理は、それぞれ図３のステップ１，２の処理に相当し、図４のステップ２５〜２８，３１，３２，３３の処理は、それぞれ図３のステップ３〜９の処理に相当し、図４のステップ３４〜４０の処理は、それぞれ図３のステップ１０〜１６の処理に相当するので、それらの図３と共通する処理についてその説明を省略する。
描画部９は、図５のステップ２３で、データＢ（ｎ）の属性がイメージデータであるかベクターデータであるかを判断し、イメージデータなら、ステップ２９でイメージデータに対する出力色が設定されているか否かを判断し、設定されていなければ、図４のステップ３９へ進んでデータＢ（ｎ）の色情報を変更せずにプリンタへ送信する。
【００２６】
また、ステップ２９でイメージデータに対する出力色が設定されていると判断したら、ステップ３０で、データＢ（ｎ）の色情報をイメージデータに対して設定された出力色に変更してプリンタへ送信し、この処理を終了する。
一方、ステップ２３でデータＢ（ｎ）の属性がベクターデータであると判断したら、ステップ２４で、データＢ（ｎ）の文字，線，塗り潰しの属性毎の出力色の設定があるか否かを判断し、その何れの設定もなければ、図４のステップ３９へ進んでデータＢ（ｎ）の色情報を変更せずにプリンタへ送信する。
また、ステップ２４でデータＢ（ｎ）の文字，線，塗り潰しの属性毎の出力色の設定があると判断したら、図４のステップ２５へ進み、文字，線，塗り潰しの属性毎の出力色の設定も含めて、図４のステップ２５以降の処理を実行する。
【００２７】
この実施例によれば、ＲＧＢ空間のすべての色をプリンタドライバの持つ色分類テーブルによって８通りの色グループに分けておき、全ての色が８通りの色グループに分類され、それぞれのグループに対する出力色をＲＧＢＣＭＹＫＷの純色に置き換えて出力することができるので、中間色で印刷することなく純色で明瞭な印刷結果を得ることができる。
また、８通りの色グループのそれぞれについての出力色をプリンタドライバＧＵＩで可変することができるので、ユーザが作業目的に応じてフレキシブルに印刷後の色を純色（ＲＧＢＣＭＹＫＷ）に設定して印刷させることができる。
さらに、プリンタドライバＧＵＩで使用トナーが１色または２色になるように出力色を設定すれば、使用トナー量を節約することができ、プリンタの保守コストを削減することができる。
また、ＣＡＤユーザにおいては、元の原稿（図面）のデータを変更することなく、作成した図形を明確な色で印刷して確認することができる。
【００２８】
上述の実施例では、情報処理装置１の印刷先がプリンタ２の場合を示したが、印刷機能を備えたファクシミリ装置、複写機、ファクシミリ機能とプリント機能とコピー機能を含む多様な機能を備えた複合機に対しても上述と同様にして実施することができる。
また、上述の実施例では、Ｒ，Ｇ，Ｂ，Ｃ，Ｍ，Ｙ，Ｋ，Ｗの８色の純色で出力する場合の処理例を示したが、出力色としてＲ，Ｇ，Ｂのいずれかを指定できるようにしてもよい。
さらに、上述の実施例では、Ｒ，Ｇ，Ｂ，Ｃ，Ｍ，Ｙ，Ｋ，Ｗの近似色で８グループに分類する例を示したが、他の目的別のグループ分けでもよい。
例えば、色別ではＣ，Ｍ，Ｙ，Ｋの４色、もしくは１６色分類などのようにグループ数を増減させてもよい。
また、例えば、文字の大きさ別、線の太さ別などのように、印刷対象のデータの属性別にグループ分けしてもよい。
さらに、上述した様々なグループ分けの方式を選択できるようにしてもよい。
【産業上の利用可能性】
【００２９】
この発明による情報処理装置とプログラムは、サーバを含むコンピュータ全般において適用することができる。
【符号の説明】
【００３０】
１：情報処理装置    ２：プリンタ    ３：アプリケーションプログラム部    ４：プリンタドライバ部    ５：ポート制御部    ６：ＧＵＩ制御部    ７：情報授受部    ８：設定値保持部    ９：描画部
【先行技術文献】
【特許文献】
【００３１】
【特許文献１】特開２００２−２５９１０９号公報
【図１】
2010205016.tif 000003
【図２】
2010205016.tif 000004
【図３】
2010205016.tif 000005
【図４】
2010205016.tif 000006
【図５】
2010205016.tif 000007